(57)【要約】      （修正有）【課題】複数のリフィルの取り扱いを容易に行えるようにするリフィルセットを提供する。【解決手段】リフィルセット１は、綴じ具Ｔに対し着脱可能に綴じられるべく綴じ元側に設けられた綴じ孔５及び周縁のうち一部に設けられた開口７を有し開口７から内部に紙等の紙葉類を挿入し紙葉類を収容可能な同形状をなす複数のリフィルであるクリヤーポケット２と、これら複数のクリヤーポケット２を平面視略重複させて綴じ孔５同士を連通させた状態で綴じ元側同士を剥離可能に止着した仮止め部３とを具備している。【選択図】図６
2014024260.tif 000002
【特許請求の範囲】
【請求項１】
綴じ具に対し着脱可能に綴じられるべく綴じ元側に設けられた綴じ孔及び周縁のうち一部に設けられた開口を有し当該開口から内部に紙等の紙葉類を挿入し当該紙葉類を収容可能な同形状をなす複数のリフィルと、
これら複数のリフィルを平面視略重複させて前記綴じ孔同士を連通させた状態で前記綴じ元側同士を剥離可能に止着した仮止め部とを具備することを特徴とするリフィルセット。
【請求項２】
リフィルが合成樹脂製のものであり、前記仮止め部が前記合成樹脂同士を溶着することにより設けられている請求項１記載のリフィルセット。
【請求項３】
前記仮止め部が前記綴じ孔と綴じ元側の端縁との間に設けられている請求項１又は２記載のリフィルセット。
【請求項４】
前記仮止め部が綴じ元の延出方向における両端近傍に設けられている請求項１、２又は３記載のリフィルセット。
【請求項５】
前記仮止め部が、綴じ元側の端縁近傍に形成された貫通孔と、貫通孔の周縁に形成され前記リフィルの表面同士を溶着した溶着縁とを有している請求項３又は４記載のリフィルセット。
【請求項６】
前記仮止め部が、綴じ元側の端縁全域に亘って設けられている請求項１又は２記載のリフィルセット。
【請求項７】
前記仮止め部が、前記綴じ元側を粘着剤により剥離可能に止着している請求項１記載のリフィルセット。
【発明の詳細な説明】
【技術分野】
【０００１】
本発明は、紙葉類を収容した状態で保管しておくためのクリヤーブック等のリフィルに関するものである。
【背景技術】
【０００２】
従来、合成樹脂からなる袋状のクリヤーブック替紙と呼ばれているクリヤーポケットや、クリヤーホルダーといった、紙葉類を好適に収容し得るものが種々提案されている。これらのもののうち、綴じ具に対し着脱可能に綴じられるべく綴じ元側に設けられた綴じ孔及び周縁のうち一部に設けられた開口を有し当該開口から内部に紙等の紙葉類を挿入し当該紙葉類を収容可能なものも多く提案されている。特にこれらのものはリフィルとして取り扱われており、複数のクリヤーポケットを、表紙体に綴じ具を設けてなるファイルに着脱可能に綴じておくことによりクリヤーブックとして利用したり、書類をクリヤーホルダーごと綴じておいたりすることにより、当該クリヤーホルダーに収容された一部の書類を優先的に取り出し易くするなど、幅広い用途に好適に用いられている。
【０００３】
しかしながら、これら上記のリフィルは複数まとめて取り扱うことが多いため、リフィル一枚一枚を逐一綴じ具に差し込んでいくという作業は使用者にとって煩わしさを感じさせてしまう可能性がある。また一度に複数のリフィルを綴じ具に綴じようとすれば、綴じ杆に通す前に各リフィルを入念に揃える等して各綴じ孔同士を連通させながら綴じ杆に通すという、使用者にとって慎重さを強いる作業を伴うものとなっていた。また複数のリフィルの差し替えや一覧を容易にすべく、複数のリフィルを接続するという技術も開示されている（例えば、特許文献１及び特許文献２参照）。しかしこれら特許文献に記載のものであっても、一度に綴じ具に綴じようとすれば蛇腹状に折り畳むなどという格別の作業が避けられないものとなっている。
【先行技術文献】
【特許文献】
【０００４】
【特許文献１】特開２００６−３０６００５号公報
【特許文献２】実用新案登録第３０７６２６６号公報
【発明の概要】
【発明が解決しようとする課題】
【０００５】
本発明は、このような不具合に着目したものであり、複数のリフィルの取り扱いを容易に行えるようにすることを目的としている。
【課題を解決するための手段】
【０００６】
本発明は、このような目的を達成するために、次のような手段を講じたものである。
【０００７】
すなわち本発明に係るリフィルセットは、綴じ具に対し着脱可能に綴じられるべく綴じ元側に設けられた綴じ孔及び周縁のうち一部に設けられた開口を有し当該開口から内部に紙等の紙葉類を挿入し当該紙葉類を収容可能な同形状をなす複数のリフィルと、これら複数のリフィルを平面視略重複させて前記綴じ孔同士を連通させた状態で前記綴じ元側同士を剥離可能に止着した仮止め部とを具備することを特徴とする。
【０００８】
このようなものであれば、複数のリフィルは既に綴じ孔が連通された状態で仮止めされているので、一度の動作で複数のリフィルを容易に綴じ具に綴じることができる。また複数のリフィルは綴じ元側で綴じられているので、綴じ具に綴じられた状態において仮止め部が不意に剥離し難いものとなる。これにより綴じ具から取り外す際の作業も同様に容易に行うことができる。
【０００９】
またリフィルが合成樹脂製のものである場合には、前記仮止め部が前記合成樹脂同士を溶着することにより設ければ、簡素な構成で容易に本発明を実現し得る。
【００１０】
リフィルの使用中に不意にリフィル同士が剥離してしまうという不具合を有効に回避するためには、前記仮止め部を前記綴じ孔と綴じ元側の端縁との間に設けておくことが望ましい。
【００１１】
また、上述の様な不意な剥離を回避しつつ複数のリフィルの閲覧を好適に行えるようにするためには、前記仮止め部を綴じ元の延出方向における両端近傍に設けておくことが好ましい。
【００１２】
仮止め部を容易且つ確実に実現するための具体的な構成として、前記仮止め部が、綴じ元側の端縁近傍に形成された貫通孔と、貫通孔の周縁に形成され前記リフィルの表面同士を溶着した溶着縁とを有している態様を挙げることができる。
【００１３】
前記仮止め部を容易に実現する他の構成としては、前記仮止め部をが、綴じ元側の端縁全域に亘って設ける態様も挙げられる。
【００１４】
さらに、仮止め部を、前記綴じ元側を粘着剤により剥離可能に止着するようにすれば、合成樹脂製のリフィルのみならず、綴じ具に綴じられ得る紙製の書類ホルダをリフィルとして本発明を適用することができる。
【発明の効果】
【００１５】
本発明によれば、複数のリフィルの取り扱いを容易に行えるようにすることができる。
【図面の簡単な説明】
【００１６】
【図１】本発明の一実施形態に係る斜視図。
【図２】同正面図。
【図３】図２に係る要部の拡大図。
【図４】同要部の左側面図。
【図５】図２に係るＡ−Ａ線断面図。
【図６】同実施形態に係る作用説明図。
【図７】同実施形態に係る他の作用説明図。
【図８】同実施形態の変形例１に係る図５に対応させて示す断面図。
【図９】同実施形態の変形例２に係る図５に対応させて示す断面図。
【図１０】同実施形態の変形例３に係る正面図。
【発明を実施するための形態】
【００１７】
以下、本発明の一実施の形態及び各変形例について図面を参照して説明する。なお本実施形態及び変形例においては、断面を示す図５、図８及び図９においては説明の便宜上、ハッチの図示を省略するものとする。
【００１８】
本実施形態に係るリフィルセット１は、図１乃至図７に示すように、例えば１０枚のリフィルたるクリヤーポケット２からなるものである。
【００１９】
図６は、本発明を図６に示すようなクリヤーブックＣＢに適用した場合のものである。このクリヤーブックＣＢは、複数枚のリフィルたるクリヤーポケット２Ｐをファイルに保持させたものである。ファイルは、例えば２本の綴じ杆Ｔ１を有する綴じ具Ｔを表紙体Ｈに保持させたものである。表紙体Ｈは、表表紙Ｈ１、裏表紙Ｈ２及び背表紙Ｈ３を有したもので、本実施形態では裏表紙Ｈ２における背表紙Ｈ３寄りの箇所に綴じ具Ｔの綴じ杆Ｔ１を設けてなる。綴じ具Ｔは、同図では２本の綴じ杆Ｔ１にリフィルや紙葉類の綴じ孔を挿通させた状態で図示しない綴じ具本体によって抜脱可能に綴じておく通常のものである。
【００２０】
本実施形態に係るリフィルセット１は、綴じ具Ｔに対し着脱可能に綴じられるべく綴じ元側に設けられた綴じ孔５及び周縁のうち一部に設けられた開口７を有し当該開口７から内部に紙等の紙葉類を挿入し当該紙葉類を収容可能な同形状をなす複数のリフィルであるクリヤーポケット２と、これら複数のクリヤーポケット２を平面視略重複させて前記綴じ孔５同士を連通させた状態で前記綴じ元側同士を剥離可能に止着した仮止め部３とを具備している。
【００２１】
クリヤーポケット２は、例えばポリプロピレンといった合成樹脂製の２枚の透明フィルムの綴じ元側の端縁である一端縁２ａ、底６及び反綴じ元側の端縁２ｂを閉塞したポケット状のもので、開放させた上縁側の開口７から書類等を挿入し、保管することができるものである。綴じ元側には多数の綴じ孔５、例えば３０個の綴じ孔５が所定間隔で設けられているとともにこれら綴じ孔５の周囲の領域は２枚の透明フィルムを間欠的に溶着によって接合させた接合領域４を設けている。前記綴じ孔５は、等間隔に設けられた３０の綴じ孔５のうち、両端部近傍の２個の綴じ孔５（以下、端部綴じ孔５２という）及び中央付近の２個の綴じ孔５Ｐ１（以下、中間綴じ穴５１という）は、その径が他の綴じ孔５Ｐ１よりも大きく設定されている。本実施形態では綴じ杆Ｔ１が２本の綴じ具Ｔに綴じられる態様を図示しているので中間綴じ穴５１が専ら用いられるが、例えば綴じ杆を４本有するタイプの他の綴じ具を用いる場合には中間綴じ穴５１及び端部綴じ孔５２が用いられる。そして端部綴じ孔５２及び中間綴じ穴５１以外の綴じ孔５は、例えばリングファイルと呼ばれる３０本の綴じリングを有するタイプの綴じ具に専ら綴じられるためのリング綴じ孔５３である。接合領域４は、図３に示すように、一端縁２ａから綴じ孔５を覆う領域に２枚の透明フィルムを溶着により点状に接合させた多数の接合点４１からなる。底６は、２枚の透明フィルムの底縁沿いに、いわゆる概略ミシン目形状に形成された接合線６１からなる。正確にはこの接合線６１は小さい矩形状の孔を熱により穿つことにより当該孔の周辺部位を溶着することにより紙葉類が抜け落ちないようにしている。また本実施形態では開口７をクリヤーポケット２上縁のみに設けているが勿論、上縁から綴じ元側の一部または全部に亘って開放させているようなものでも良い。つまり２枚の透明フィルムの周囲半分以上閉塞し、紙葉類を２枚の透明フィルム間に保持し得るものであればよい。
【００２２】
そして前記仮止め部３は、前記合成樹脂製の透明フィルムの、つまりクリヤーポケット２の表面２ｃ同士を溶着することにより設けられている。具体的に説明すると、この仮止め部３は、左右方向では前記綴じ孔５と綴じ元側の端縁である一端縁２ａとの間に設けられている。また前記仮止め部３は、綴じ元の延出方向すなわち上下方向における両端近傍にそれぞれ１箇所ずつ設けられている。そしてこれら対をなす仮止め部３は、それぞれ綴じ元側の一端縁２ａ近傍に形成された貫通孔３１と、貫通孔３１の周縁に形成され前記リフィルの表面２ｃ同士を溶着した溶着縁３２とを有している。すなわち本実施形態の仮止め部３は製造工程において、樹脂の融点以上に熱せられた針状の部材を貫通させることにより溶着されてなる。詳細に説明すると、まず１０枚のクリヤーポケット２を重層させて各綴じ孔５を連通させた状態で位置決めされる。そして前記針状の部材を貫通させる位置は、例えば上縁、下縁から５つ目の綴じ孔５と６つ目の綴じ孔５との間の上下位置であり、且つ一端縁２ａと綴じ孔５との間の対をなした位置に設定される。そして当該位置に対し表裏何れか一方、詳細には図５に示す下側から熱を有した前記針状の部材を他方すなわち同図に示す上側へ向けて穿つことにより、貫通孔３１が結果として穿たれるとともに、その貫通孔３１の周囲では溶着縁３２が形成される。これにより隣接するクリヤーポケット２同士が互いに溶着される。
【００２３】
このようにして形成された仮止め部３は、クリヤーポケット２を１０枚単位で確実に仮止めしているので、中間綴じ穴５１を綴じ杆Ｔ１に容易に挿通させ得る。また綴じ具Ｔに綴じた状態でリフィルセット１を構成する個々のクリヤーポケット２をめくるなどして取り扱っても仮止め部３は綴じ杆Ｔ１よりも一端縁２ａ寄りにあるために影響を受け難く不意に仮止め部３の溶着縁３２が外れてしまうことはない。
【００２４】
また任意の枚数のクリヤーポケット２のみを取り出す際には図７のように意図的に任意のクリヤーポケット２をめくり上げれば、隆起している溶着縁３２が一時的に裏返りながら溶着は徐々に解除され、当該クリヤーポケット２を容易に剥離することができる。
【００２５】
以上のような構成とすることにより、本実施形態に係るリフィルセット１は、複数のリフィルたるクリヤーポケット２は既に綴じ孔５が連通された状態で仮止めされているので、一度の動作で複数のクリヤーポケット２を容易に綴じ具Ｔに綴じ得るものとなっている。また複数のクリヤーポケット２は綴じ元側で綴じられているので、綴じ具Ｔに綴じられた状態において仮止め部３が不意に剥離し難いものとなる。これにより綴じ具Ｔから取り外す際の作業も同様に容易に行うことができる。
【００２６】
また本実施形態では、前記仮止め部３が前記合成樹脂同士を溶着することにより設けられているので、リフィルたるクリヤーポケット２以外に格別なものを用いることなく簡素な構成でリフィルセット１を実現している。
【００２７】
リフィルセット１を構成するクリヤーポケット２内の書類を閲覧する等の使用中に不意にクリヤーポケット２同士が剥離してしまうという不具合を有効に回避するために本実施形態では、前記仮止め部３を前記綴じ孔５と綴じ元側の一端縁２ａとの間に設けている。これにより綴じ具Ｔに綴じられたリフィルセット１を閲覧しても、綴じ杆Ｔ１よりも一端縁２ａ寄りに仮止め部３があるために使用者に触れられ難く、且つ開かれ難くなっており、仮止め部３の溶着が好適に維持される。
【００２８】
また、上述の様な不意な剥離を回避しつつ複数のクリヤーポケット２の閲覧を好適に行えるようにするために本実施形態では、前記仮止め部３を綴じ元の延出方向における両端近傍に設けている。これにより、図６の如く２穴式の綴じ具Ｔを有するファイルＦに綴じられた状態やリフィルセット１単独の状態で閲覧される際であっても上下端が不意にめくれ難く、且つ不要に中央がふくれてしまうこともなく、快適な閲覧に資する。
【００２９】
そして本実施形態では仮止め部３を簡易に且つ確実に形成すべく、合成樹脂の融点以上に熱せられた針状部材を貫通させることにより設け、綴じ元側の一端縁２ａ近傍に形成された貫通孔３１と、貫通孔３１の周縁に形成され前記クリヤーポケット２の表面２ｃ同士を溶着した溶着縁３２とを有したものとしている。これにより効率の高いリフィルセット１の生産を実現している。
【００３０】
加えて本実施形態では仮止め部３の形状が、例えば若干表側つまり正面視手前側すなわち図５での上側に隆起した形状をなしている。ここで上記の通り、樹脂の融点以上に熱せられた針状の部材を貫通させるとき、前記部材の差し込み始端側の各クリヤーポケット２の該当部分が溶けて終端側へ入り込むようになる。この場合、リフィルセット１に対し差し込み始端側からクリヤーポケット２を剥離すると終端側へ入り込んだ樹脂にも引っ張りの力が加わり、このときの感触が使用者に「引っ掛かり」や「引っ張り」と感じられる場合がある。そこで本実施形態では前記差し込み終端側すなわち隆起した箇所を正面視手前側つまり図５での上側に位置付けることで使用者に対し差し込み終端側からのクリヤーポケット２の引き剥がしを惹起するようにしている。これにより、手間側のクリヤーポケット２が使用者により剥離される際には隆起した箇所が徐々に剥がれていくことによって、仮止め部３の周囲が無理に引っ張られると使用者が感じることもなくスムーズな剥離を可能としている。
【００３１】
＜変形例１＞
以下に、本実施形態の各変形例について説明する。以下の各変形例について、上記実施形態の構成要素に相当するものに対しては同じ符号を付すとともに、その詳細な説明を省略するものとする。
【００３２】
上記実施形態では、仮止め部３を綴じ孔５と一端縁２ａとの間に貫通孔３１を穿つことによって設けたが勿論、図８に示すように、一端縁２ａ側から例えば透明フィルムの融点以上に熱せられた板状体を押し当てることにより一端縁２ａ全域に溶着端縁３３を形成することにより仮止め部３を設けても良い。さらには、この溶着端縁３３は一端縁２ａ全域とは限られず、リフィルの上縁近傍及び下縁近傍のみであったり、また間欠的に設けたりしても良い。
【００３３】
＜変形例２＞
また上記実施形態及び変形例では何れも仮止め部３を合成樹脂製のフィルムの溶着により設けたものであったが勿論、綴じ元側を粘着剤により剥離可能に止着したものであってもよい。図９は、リフィルたるクリヤーポケット２の綴じ元側の一端縁２ａにホットメルト粘着剤３５を塗布し、剥離可能に止着した接着部３４を形成することにより、仮止め部３を設けた態様を示している。このようなものであっても上記実施形態及び変形例１同様、複数のクリヤーポケット２の取り扱いを容易なものとし得ている。また本実施形態では図示しないが合成樹脂製のクリヤーポケット２のみならず、紙製のポケット状のリフィルに対しても接着部３４を形成し、仮止め部３を設けることが可能である。
【００３４】
＜変形例３＞
上記実施形態及び各変形例ではリフィルとしてクリヤーポケット２を適用した態様を開示していたが勿論、図１０に示すように、クリヤーホルダー２Ａと呼ばれる態様のものをリフィルとして本変形例３に係るリフィルセット１Ａを構成してもよい。
【００３５】
このクリヤーホルダー２Ａは、例えば上記実施形態よりも厚みが大きな、例えばポリエチレンテレフタレートやポリエチレンといった合成樹脂製の２枚の透明フィルムの底縁及び反綴じ元側の端縁を閉塞した態様のもので、開放させた上縁側及び一端縁２ａ側の開口７から書類等を挿入し、保持することができるものである。綴じ元側には２つの綴じ孔５、つまり２つの綴じ杆Ｔ１を有する綴じ具Ｔのみに対応すべく中間綴じ穴５１のみが設けられている。また当該クリヤーホルダー２Ａは、上端縁側及び一端縁２ａ側に亘って設けられた開口７を容易に開成できるよう、綴じ元側の上端の一部において手前側に位置する透明フィルムを切り欠いている。
【００３６】
すなわち本実施形態の変形例３に係るリフィルセット１は、例えば１０枚のクリヤーホルダー２Ａを上記実施形態同様の貫通孔３１を有する仮止め部３を設けることにより、剥離可能に仮止めをしたものである。このリフィルセット１の場合、一端縁２ａ側に設けた開口７から書類を入れるときは一のクリヤーホルダー２Ａにおける仮止め部３において透明フィルム同士の溶着は剥離されることになるが、隣接するクリヤーホルダー２Ａの表面２ｃ同士の溶着は維持される。これにより、使用者の意図により任意のクリヤーホルダー２Ａを剥離により離間させない限り、複数のリフィルたるクリヤーホルダー２Ａを継続的に、上記実施形態同様、容易に取り扱うことができる。
【００３７】
以上、本発明の実施形態及び各変形例について説明したが、各部の具体的な構成は、上述した実施形態のみに限定されるものではなく、本発明の趣旨を逸脱しない範囲で種々変形が可能である。
【００３８】
例えば、上記実施形態では１０枚のリフィルを仮止めした態様を開示したが勿論、したものであってもよい。またリフィルに設けられた綴じ穴の数やリフィルの具体的な大きさ、形状といった詳細な態様は上記実施形態のものに限定されることはなく、既存のものを含め、種々の態様のものを適用することができる。
【００３９】
その他、各部の具体的構成についても上記実施形態に限られるものではなく、本発明の趣旨を逸脱しない範囲で種々変形が可能である。
【産業上の利用可能性】
【００４０】
本発明は紙葉類を収容した状態で保管しておくためのクリヤーブック等のリフィルに関するものとして利用することができる。
【符号の説明】
【００４１】
１、１Ａ…リフィルセット
２ａ…端縁（一端縁）
２ｃ…リフィルの表面（表面）
２…リフィル（クリヤーポケット）
２Ａ…リフィル（クリヤーファイル）
３…仮止め部
３１…貫通孔
３２…溶着縁
３３…溶着端縁
３４…接着部
３５…粘着剤（ホットメルト粘着剤）
５…綴じ孔
７…開口
Ｔ…綴じ具
【図１】
2014024260.tif 000003
【図２】
2014024260.tif 000004
【図３】
2014024260.tif 000005
【図４】
2014024260.tif 000006
【図５】
2014024260.tif 000007
【図６】
2014024260.tif 000008
【図７】
2014024260.tif 000009
【図８】
2014024260.tif 000010
【図９】
2014024260.tif 000011
【図１０】
2014024260.tif 000012